(57)【特許請求の範囲】
【請求項１】
円筒形状の消火器本体の上部の外周面一部に吊り環を付設し、当該消火器本体の底部が凹み底に形成された消火器を、壁に取り付ける壁掛け用ブラケットであって、
壁に沿って縦方向に取り付けられる帯形状を呈する金属製のブラケット本体と、
前記ブラケット本体の上部の正面側に設けられ、前記吊り環が上方から引っ掛けられるフック部と、
前記ブラケット本体の下部の正面側に設けられ、前記凹み底の外周縁一部が上方から引っ掛けられる底受部と、
前記ブラケット本体の前記フック部と前記底受部との上下方向中間部に取り付けられ、前記消火器本体の外周面の一部に当てがわれる弾性体と、
前記ブラケット本体の前記フック部と前記底受部との上下方向中間部には当該方向と直交状に取り付けられていて、前記消火器本体が前記弾性体に対し押し付けられるよう前記消火器本体の外周面を締め付け可能な化学繊維製または布製から成る締結バンドと、
前記締結バンドの一端部及び他端部にそれぞれ連結され、互いに係脱可能な雌雄型留め具と、を備えており、
前記ブラケット本体には、前記フック部と前記底受部との上下方向中間部を折り曲げて前記消火器本体側である正面側に突出するよう突部が形成されるとともに、この突部の背面側に凹状空間の凹部がこれの左右両側方及び後方が開放するよう形成され、さらに当該突部の左右方向の突出端部は前記消火器本体の円周に沿って当接するように円弧状に形成され、
前記締結バンドは、その締結バンドの長さ方向中間部を前記凹部側の突部の背面に重ねて、前記締結バンドの中間部及び前記突部の中間部に穿った孔にリベットを通し、この通したリベットの先端部を、前記突部の孔の周辺部分に予め成形しておいた凹み部内に沈み状態に納めて圧潰するか拡開することで、前記締結バンドが前記凹部側の突部の背面にかしめ付けられ、
前記突部の突出端部の正面側には前記弾性体が貼り付けられている消火器の壁掛け用ブラケット。
【請求項２】
前記雄型留め具が、前記締結バンドの一端部に連結された前記雄型留め具本体に、それぞれが先端部に外向きの係合突起を有し、かつ相互の対向間隔を拡開・縮小自在とする一対の弾性脚を備えており、
前記雌型留め具が、前記締結バンドの他端部に連結された前記雌型留め具本体に、前記一対の弾性脚が縮小状態で差込み可能に設けられた脚挿入孔と、この脚挿入孔の内奥側の両側壁に前記弾性脚の拡開復元作用で前記係合突起が突出するよう設けられた指掛け孔、及び該指掛け孔の縁に前記係合突起が突出すると同時に抜止め状に係止するよう設けられた抜止め段部と、を備えている請求項１記載の消火器の壁掛け用ブラケット。
【請求項３】
前記凹部内に、前記締結バンドの中間部と、その締結バンドの背面側に前記リベットの後端部である頭とが納められ、
前記凹部の深さ寸法は、前記締結バンドの厚み寸法と前記リベットの頭の厚み寸法とを合わせた寸法よりも大きく形成されている請求項１記載の消火器の壁掛け用ブラケット。
【請求項４】
前記フック部が前記ブラケット本体の一部を正面側へ切り起こして断面Ｌ形状に形成されている請求項１ないし３のいずれかに記載の消火器の壁掛け用ブラケット。
【請求項５】
前記底受部が前記ブラケット本体の下端部を正面側へ突出するよう折り曲げて断面Ｌ形状に形成されている請求項１ないし４のいずれかに記載の消火器の壁掛け用ブラケット。
【発明の詳細な説明】
【０００１】
【発明の属する技術分野】
本発明は、手さげ式の消火器を住宅やビル等の壁に掛けられるようにした壁掛け用ブラケットに関する。
【０００２】
【従来の技術】
従来、消火器の壁掛け用ブラケットは、一般に、壁（但し、床面から１．５m以下）に取付ねじで固定される帯板状のブラケット本体と、このブラケット本体の下端部から前方へ水平に突設した皿形状の載置台部、及び締結バンドから構成される。締結バンドの留め部材としては、たとえば、面状ファスナなどが用いられる。消火器は、壁に固定されたブラケット本体の載置台部の上に垂直に載置され、締結バンドで消火器の縦方向中間部がブラケット本体に対し着脱可能に縛り付けられるようになっている。
【０００３】
【発明が解決しようとする課題】
しかるに、上記壁掛け用ブラケットでは、幹線道路や地下鉄に近く、絶え間ない振動を受ける場所の住宅やビルに設置された場合や、地震などで消火器がブラケットの載置台上でがたついたり、経時的に締結バンドによる締め付けが緩み、最悪の場合締結バンドの面状ファスナよりなる留め部分が不慮に外れると、消火器が転倒落下するおそれがある。
【０００４】
本発明の目的は、このような問題を解決するためになされたもので、消火器を長期にわたって安全かつ安定よく取り付けることができ、耐震性にも優れる消火器の壁掛け用ブラケットを提供することにある。
【０００５】
【課題を解決するための手段】
本発明の請求項１に係る発明は、円筒形状の消火器本体（２）の上部の外周面一部に吊り環（８）を付設し、当該消火器本体（２）の底部が凹み底（９）に形成された消火器（１）を、壁（Ｗ）に取り付ける壁掛け用ブラケットであって、壁（Ｗ）に沿って縦方向に取り付けられる帯形状を呈する金属製のブラケット本体（１１）と、ブラケット本体（１１）の上部の正面側に設けられ、吊り環（８）が上方から引っ掛けられるフック部（１２）と、ブラケット本体（１１）の下部の正面側に設けられ、凹み底（９）の外周縁一部が上方から引っ掛けられる底受部（１３）と、ブラケット本体（１１）のフック部（１２）と底受部（１３）との上下方向中間部に取り付けられ、消火器本体（２）の外周面の一部に当てがわれる弾性体（１６）と、ブラケット本体（１１）のフック部（１２）と底受部（１３）との上下方向中間部には当該方向と直交状に取り付けられていて、消火器本体（２）が弾性体（１６）に対し押し付けられるよう消火器本体（２）の外周面を締め付け可能な化学繊維製または布製から成る締結バンド（２０）と、締結バンド（２０）の一端部及び他端部にそれぞれ連結され、互いに係脱可能な雌雄型留め具（２３）（２４）と、を備えていることに特徴を有するものである。
【０００６】
上記構成の壁掛け用ブラケットによれば、ブラケット本体（１１）を壁（Ｗ）に取り付け、消火器本体（２）の吊り環（８）をブラケット本体（１１）のフック部（１２）に、消火器本体（２）の凹み底（９）の外周縁一部をブラケット本体（１１）の底受部（１３）にそれぞれ引っ掛け、消火器本体（２）の上下方向中間部を締結バンド（２０）でブラケット本体（１１）に締め付けることにより消火器（１）を壁（Ｗ）に対し安全かつ安定よく取り付けることができる。消火器（１）が凹み底（９）の外周縁一部をブラケット本体（１１）の底受部（１３）に引っ掛けるとともに、吊り環（８）をブラケット本体（１１）のフック部（１２）に引っ掛けるので、万一締結バンド（２０）による締め付けが緩んだり、外れるようなことがあっても、消火器（１）がブラケット本体（１１）上で転倒したり、外れたりするのを防止できる。
【０００７】
締結バンド（２０）で締め付けられる消火器本体（２）の外周面一部とブラケット本体（１１）との間にはゴム等の弾性体（１６）を介在させてあるので、締結バンド（２０）による締め付け力を弾性体（１６）の弾性を介して高めることができ、また強力な締付け状態を長期にわたって保持することができる。さらに弾性体（１６）の吸振作用により消火器（１）が振動や地震等によりブラケット本体（１１）上でがたつくのをよく防止できる。
【０００８】
消火器（１）の吊り環（８）及び凹み底（９）はブラケット本体（１１）のフック部（１２）及び底受部（１３）にそれぞれ上方から引っ掛けているので、火災発生時には締結バンド（２０）による締結状態を解除した後、消火器（１）を持ち上げるだけの簡単かつ迅速な操作で取り外すことができる。
さらに、本発明の請求項１に係る発明は、ブラケット本体（１１）には、フック部（１２）と底受部（１３）との上下方向中間部を折り曲げて消火器本体（２）側である正面側に突出するよう突部（１４）が形成されるとともに、この突部（１４）の背面側に凹状空間の凹部（１５）がこれの左右両側方及び後方が開放するよう形成され、さらに当該突部（１４）の左右方向の突出端部（１４ａ）は消火器本体（２）の円周に沿って当接するように円弧状に形成され、締結バンド（２０）は、その締結バンド（２０）の長さ方向中間部を凹部（１５）側の突部（１４）の背面に重ねて、締結バンド（２０）の中間部及び突部（１４）の中間部に穿った孔（２２）にリベット（２１）を通し、この通したリベット（２１）の先端部（２１ａ）を、突部（１４）の孔（２２）の周辺部分に予め成形しておいた凹み部（１４ｂ）内に沈み状態に納めて圧潰するか拡開することで、締結バンド（２０）が凹部（１５）側の突部（１４）の背面にかしめ付けられ、突部（１４）の突出端部（１４ａ）の正面側には弾性体（１６）が貼り付けられている。これにより、締結バンド（２０）の締付けに伴い消火器（１）をブラケット本体（１１）に対し強く押し付ける安定状態に取り付けることができる。
【０００９】
請求項２に記載の発明のように、上記雄型留め具（２４）は、締結バンド（２０）の一端部に連結された雄型留め具本体（２５）に、それぞれが先端部に外向きの係合突起（２６）を有し、かつ相互の対向間隔を拡開・縮小自在とする一対の弾性脚（２７）（２７）を備えたものとし、上記雌型留め具（２３）は、締結バンド（２０）の他端部に連結された雌型留め具本体（３２）に、前記一対の弾性脚（２７）（２７）が縮小状態で差込み可能に設けられた脚挿入孔（３３）と、この脚挿入孔の内奥側の両側壁に前記弾性脚（２７）（２７）の拡開復元作用で前記係合突起（２６）（２６）が突出するよう設けられた指掛け孔（３５）（３５）、及び該指掛け孔の縁に前記係合突起が突出すると同時に抜止め状に係止するよう設けられた抜止め段部（３６）（３６）と、を備えたものとすることができる。
【００１０】
このように構成された雌雄型留め具によれば、雌型留め具本体（３２）の脚挿入孔（３３）に、雄型留め具本体（２５）の一対の弾性脚（２７）（２７）を弾性に抗して縮小させながら差し込み、差し込み後は弾性脚（２７）（２７）の拡開復元作用により係合突起（２６）（２６）が抜止め段部（３６）（３６）に係止するため、振動や地震等に対抗できる抜止め阻止力が得られる。したがって、振動や地震等により不慮に雌雄型留め具（２３）（２４）同士が外れることがなくてバンド締結状態を堅持できる。火災発生時には指掛け孔（３５）（３５）に突出している一対の係合突起（２６）（２６）を指で押込み操作することにより弾性脚（２７）（２７）を脚挿入孔（３３）から抜き出すことができてバンド締結状態を簡易迅速に解除できる。
【００１１】
【００１２】
また、請求項３に記載の発明のように、凹部（１５）内に、締結バンド（２０）の中間部と、その締結バンド（２０）の背面側にリベット（２１）の後端部である頭（２１ｂ）とが納められ、凹部（１５）の深さ寸法は、締結バンド（２０）の厚み寸法とリベット（２１）の頭（２１ｂ）の厚み寸法とを合わせた寸法よりも大きく形成されている構成にすることができる。これにより締結バンド（２０）及びリベット（２１）の頭（２１ｂ）が壁（Ｗ）につかえることなくブラケット本体（１１）の背面側を壁（Ｗ）に密着状態に固定することができる。
【００１３】
前記ブラケット本体（１１）のフック部（１２）は、請求項４に記載の発明のように、ブラケット本体（１１）の一部を正面側へ切り起こして断面Ｌ形状に形成することができる。また、前記底受部（１３）は、請求項５に記載の発明のように、ブラケット本体（１１）の下端部を正面側へ突出するよう折り曲げて断面Ｌ形状に形成することができる。これによりフック部（１２）及び底受部（１３）はブラケット本体（１１）とは別部材を用いることなく、ブラケット本体（１１）それ自体をプレス加工することで簡単かつ安価に制作することができる。
【００１４】
【発明の実施の形態】
本発明に係る消火器の壁掛け用ブラケットの実施形態を図面にもとづき説明する。図１は消火器の壁掛け用ブラケットを取付け状態で示す正面図、図２は消火器の壁掛け用ブラケットを取付け状態で示す側面図、図３は図２におけるＡ−Ａ線拡大断面図、図４は壁掛け用ブラケットの締結バンドの雌雄型留め具を分離状態で示す半欠截正面図、図５は図４におけるＢ−Ｂ線断面図、図６は壁掛け用ブラケットの締結バンドの雌雄型留め具を係合状態で示す半欠截正面図である。
【００１５】
図１及び図２において、対象の住宅用の消火器１は消火剤を充填した円筒形状の消火器本体２に、先端にノズル３を有するホース４、安全栓５、レバー６、７などをそれぞれ備えている。消火器本体２の外周面の上部には平面視においてコの字形状の吊り環８を溶接等で固定し、消火器本体２の底部は凹み底９に形成している。
【００１６】
本発明に係る壁掛け用ブラケット１０は、帯形状を呈する金属製のブラケット本体１１の上部に、消火器１の吊り環８が上方から引っ掛けられるフック部１２を、またブラケット本体１１の下部に、消火器本体１１の凹み底９の外周縁一部９ａが上方から引っ掛けられる底受部１３をそれぞれ設けている。フック部１２は、プレス加工によりブラケット本体１１の一部を正面側へ切り起こして断面Ｌ形状に形成する。底受部１３は、同じくプレス加工によりブラケット本体１１の下端部を正面側へ折り曲げて断面Ｌ形状に形成する。
【００１７】
図２、図３に示すように、ブラケット本体１１のフック部１２と底受部１３との中間部は正面側へ突出するよう縦断面台形状に折り曲げて突部１４を形成するとともに、この突部１４の背面側に凹部１５をこれの左右両側方及び後方が開放するよう形成している。突部１４の突出端部１４ａは横断面形状が消火器本体２の円周に沿うよう円弧状に形成され、この突出端部１４ａの正面側にはゴムや発泡樹脂等からなる板状の弾性体１６を貼り付ける。ブラケット本体１１のフック部１２より上部、突部１４と底受部１３との中間部にはそれぞれ取付ねじ１７が挿通可能な取付孔１８を設けている。
【００１８】
ブラケット本体１１の上下方向中間部には化学繊維製または布製から成る締結バンド２０が直交状に取り付けられる。この場合、締結バンド２０はブラケット本体１１の突部１４の背面側の凹部１５を利用して当該箇所にリベットや接着剤などで取り付ける。その凹部１５は少なくとも締結バンド２０の厚みよりも深く形成されている。締結バンド２０の取付けに際しては、締結バンド２０の長さ方向中間部を突部１４の背面側の凹部１５に直交状に重ね、プラスチック製のリベット２１を締結バンド２０、及び突出端部１４ａに穿った孔２２に通し、突出端部１４ａの正面側へ突出するリベット２１の先端部２１ａを圧潰するか拡開することで締結バンド２０が凹部１５にかしめ付けられる。その際、突出端部１４ａの正面側に弾性体１６を貼り付けるときにリベット２１の先端部２１ａが障害となることのないように、突出端部１４ａの孔２２の周辺部分に図３に示すごとく凹み部１４ｂを予め成形し、その凹み部１４ｂ内に先端部２１ａを沈み状態に納めている。
【００１９】
締結バンド２０の一端部及び他端部には、互いに係脱可能な雌雄型留め具２３、２４を備えている。図４及び図５に示すように、雄型留め具２４は、締結バンド２０の一端部に連結されるプラスチック製の雄型留め具本体２５に、それぞれが先端部に外向きの係合突起２６を有し、かつ相互の対向間隔を拡開・縮小自在とする一対の弾性脚２７、２７と、弾性脚２７、２７間に配置され、弾性脚２７より長い挿入ガイド突起２８とをそれぞれ一体に形成している。弾性脚２７、２７の基部には第１、２バンド挿通孔２９、３０を形成している。締結バンド２０の一端部２０ａは第１バンド挿通孔２９に挿通した後折り返して第２バンド挿通孔３０に挿通することができ、これにより締結バンド２０の長さ調整を可変できる。この締結バンド２０の長さ調整は消火器本体２の胴回りに合わせて行われ、この長さ調整が予め行われることによって雌雄型留め具２３、２４同士を係合連結させるだけで消火器本体２がブラケット本体１１に対し強く縛り付けられる。第２バンド挿通孔３０の一側孔縁には締結バンド２０の折返し側端部２０ａが滑り止め状に係合する係合歯３１を設けている。
【００２０】
一方、雌型留め具２３は、図４に示すように、締結バンド２０の他端部に連結固定されるプラスチック製の偏平筒形状の雌型留め具本体３２に、前記一対の弾性脚２７、２７の拡開間隔Ｆよりも狭い開口幅Ｅを有して一対の弾性脚２７、２７が縮小状態で差込み可能な脚挿入孔３３を設け、かつこの脚挿入孔３３の中央部に前記挿入ガイド突起２８が差込み可能な突起挿入孔３４を設けるとともに、脚挿入孔３３の内奥側の両側壁に、前記係合突起２６が突出する指掛け孔３５を開口している。該指掛け孔３５の縁には、前記係合突起２６が指掛け孔３５に突出すると同時に抜止め状に係止する抜止め段部３６を設けている。
【００２１】
しかるときは、雌型留め具２３の脚挿入孔３３に雄型留め具２４の一対の弾性脚２７、２７を弾性に抗して縮小させながら差し込み、係合突起２６、２６が抜止め段部３６、３６の位置に達すると同時に、弾性脚２７、２７が拡開復元作用により拡開して係合突起２６、２６が抜止め段部３６、３６に抜止め状に係止する（図６参照）。そして、指掛け孔３５、３５に突出している一対の係合突起２６、２６を指で押込み操作すると、係合突起２６、２６が抜止め段部３６、３６から外れ、弾性脚２７、２７を脚挿入孔３３から抜き出すことができる。
【００２２】
次に、上記構成の壁掛け用ブラケット１０を用いて消火器１を壁Ｗに取り付ける要領について説明する。図２に示すように、まず、壁Ｗにブラケット本体１１を縦方向にして取付ねじ１７で取り付ける。その際、締結バンド２０の長さ方向中間の固定部及びリベット２１の頭２１ｂは凹部１５内に納めているので、それら締結バンド２０及びリベット２１が壁Ｗにつかえることなくブラケット本体１１の背面が壁Ｗに密着状態に重なるよう固定することができる。
【００２３】
次いで、壁掛け用ブラケット１０に対し消火器１は吊り環８をブラケット本体１１のフック部１２に、その凹み底９の外周縁一部９ａをブラケット本体１１の底受部１３にそれぞれ上方から挿入して引っ掛ける。しかる後、締結バンド２０を消火器本体２の上下方向中間部の外周に巻き付け、雌雄型留め具２３、２４同士を上記要領により係合連結させると、消火器本体２が弾性体１６に押し付けられると同時にブラケット本体１１に強く縛り付けられる。
【００２４】
このように消火器１は吊り環８をブラケット本体１１のフック部１２に、凹み底９の外周縁一部９ａをブラケット本体１１の底受部１３にそれぞれ引っ掛け、さらに消火器本体２の上下方向中間部を締結バンド２０でブラケット本体１１に締め付けることにより壁Ｗに安定よく取り付けられる。とくに、消火器１の凹み底９の外周縁一部９ａがブラケット本体１１の底受部１３に引っ掛けられているに加えて、さらに消火器１の吊り環８がブラケット本体１１のフック部１２に引っ掛けられているため、万一締結バンド２０による締め付けが緩んだり、外れるようなことがあっても、消火器１が壁掛け用ブラケット１０上で転倒したり、外れたりするのを防止できる。
【００２５】
締結バンド２０で締め付けられる消火器本体２の外周面一部とブラケット本体１１との間には弾性体１６を介在させてあるので、締結バンド２０による締め付けを強力にすることができるとともに、弾性体１６の吸振作用により振動や地震等でがたつくのをよく防止できる。
【００２６】
火災発生時には、雌型留め具２３を雄型留め具２４から抜き出して締結バンド２０による締結状態を解除した後、消火器１を持ち上げて吊り環８及び凹み底９の外周縁一部９ａをブラケット本体１１のフック部１２及び底受部１３から上方へ抜き出すだけの簡単な操作で迅速に取り外すことができる。
【００２７】
【発明の効果】
本発明によれば、消火器を長期にわたり安全かつ安定よく壁に取り付けることができ、また火災時には壁から簡易迅速に取り外すことができて便利である。
【図面の簡単な説明】
【図１】  消火器の壁掛け用ブラケットを取付け状態で示す側面図である。
【図２】  消火器の壁掛け用ブラケットを取付け状態で示す正面図である。
【図３】  図２におけるＡ−Ａ線拡大断面図である。
【図４】  壁掛け用ブラケットの締結バンドの雌雄型留め具を分離状態で示す半欠截正面図である。
【図５】  図４におけるＢ−Ｂ線断面図である。
【図６】  壁掛け用ブラケットの締結バンドの雌雄型留め具を係合状態で示す半欠截正面図である。
【符号の説明】
１  消火器
２  消火器本体
８  吊り環
９  凹み底
１０  壁掛け用ブラケット
１１  ブラケット本体
１２  フック部
１３  底受部
１４  突部
１５  凹部
１６  弾性体
２０  締結バンド
２１  リベット
２３  雌型留め具
２４  雄型留め具
２５  雄型留め具本体
２６  係合突起
２７  弾性脚
３２  雌型留め具本体
３３  脚挿入孔
３５  指掛け孔
３６  抜止め段部
【図１】
0004694682.tif 000002
【図２】
0004694682.tif 000003
【図３】
0004694682.tif 000004
【図４】
0004694682.tif 000005
【図５】
0004694682.tif 000006
【図６】
0004694682.tif 000007